(57)【特許請求の範囲】
【請求項１】
極薄織布で且つ伸縮性を有すると共に表面に粘着層（４）を形成した布製シート（１）と、該布製シート（１）の上面に固定し、且つ弾性を有するポリカーボネートの長尺で薄板な硬質弾性材（２）と、その硬質弾性材（２）の上面に固定し、且つ通気性と弾性を有すると共に表面に粘着層（４）を形成した発泡性ポリウレタン或いはポリウレタン繊維の布地の肌当材（３）と、前記布製シート（１）の表面及び前記肌当材（３）の上面の粘着層（４）全体に粘着した剥離紙（５）とから構成させたことを特徴とする医療補助用テープ。
【請求項２】
前記硬質弾性材（２）の厚さが０．３ｍｍ〜１ｍｍであり、その幅が１ｍｍ〜７ｍｍであり、且つ前記肌当材（３）の厚さが０．５ｍｍ〜３ｍｍである請求項１記載の医療補助用テープ。
【発明の詳細な説明】
【０００１】
【発明の属する技術分野】
本発明は筋肉痛，靭帯損傷，肉離れなどが起きた時に使用するための医療補助用テープに関する。
【０００２】
【従来の技術】
従来、ねんざ，打撲，靭帯損傷，肉離れなどのスポーツ外傷と呼ばれる怪我には、医師による治療を受ける迄の応急処理としてテーピングが活用されていた。このテーピングは、医療やスポーツ用のテープを使用して関節や筋肉を圧迫させて固定する方法が採られている。又、筋肉疲労や筋肉痛などに対処するものとしては、多種多様な器具が市販されている。
【０００３】
【発明が解決しようとする課題】
しかしながら前記テーピングは、関節や筋肉を単に圧迫させて固定すれが良い訳ではなく、医学的知識が無いと、逆効果になってしまう恐れがあり、且つテープの巻く強さや巻き方或いはテープの種類の選択など専門知識及びその技能も必要であった。一方、筋肉疲労や筋肉痛などに対処する多種多様な市販器具は、按摩器具等のように高価であり且つ大きくて嵩張るものが多く、更に使い方が面倒である場合も多い等の問題点があった。
【０００４】
本発明は上肢部，背部，腰部，下肢部などの疼痛を消失或いは軽減させることが可能であると共に筋肉の増強も可能である医療補助用テープを提供することを目的とする。
【０００５】
【課題を解決するための手段】
上記問題点を解決するために本発明は成されたものであり、つまり、極薄織布で且つ伸縮性を有すると共に表面に粘着層を形成した布製シートと、該布製シートの上面に固定し、且つ弾性を有するポリカーボネートの長尺で薄板な硬質弾性材と、その硬質弾性材の上面に固定し、且つ通気性と弾性を有すると共に表面に粘着層を形成した発泡性ポリウレタン或いはポリウレタン繊維の布地の肌当材と、布製シートの表面及び肌当材の上面の粘着層全体に粘着した剥離紙とから構成させる。又、硬質弾性材の厚さを０．３ｍｍ〜１ｍｍ、幅を１ｍｍ〜７ｍｍ、長さを６ｃｍ或いは１２ｃｍとすると良く、且つ肌当材の厚さを０．５ｍｍ〜３ｍｍとすると良い。尚、本発明で言う「硬質弾性材の硬質」とは、疼痛部位に本発明品を貼付けた後に、曲がりや折れなどの塑性変形が生じない強度を有すると共に湾曲した時に弾性力が皮膚面に付与出来る強度を有するものを指し、「硬質弾性材の弾性」とは素早く元の状態に戻るものを指すと共に弾撥性も含むものとする。
【０００６】
【発明の実施の形態】
以下、本発明の実施形態を図面に基づき説明する。（１）は伸縮性を有した長方形の布製シートであり（図１、図２参照）、該布製シート（１）としては伸縮性を有した医療やスポーツ用の極薄織布を使用し、粘着層（４）を形成した粘着テープを使用する。尚、図５，図６のように巻回された帯状のものを用いると良い。（２）は長方形或いは分離可能な長方形部分の布製シート（１）の上面中央部に粘着する長尺で薄板の硬質弾性材であり、該硬質弾性材（２）には弾性（弾撥性も含む）を有したポリカーボネートなどの樹脂製の薄板を用いる。また前記硬質弾性材（２）の厚さとしては０．３ｍｍ〜１ｍｍのものを用い、好ましくは０．３ｍｍ〜０．５ｍｍが良く、１ｍｍのものは骨折用として使用する。又、前記硬質弾性材（２）の幅としては１ｍｍ〜７ｍｍのものが良く、１ｍｍ以下になると弾性力が弱過ぎて効果が激減し、７ｍｍ以上になると弾性力が強過ぎて筋肉に負担が掛かって逆効果になる恐れを生じる。好ましくは５ｍｍのものと３ｍｍのものを２種類用意しておくと良く、且つその長さとしては６ｃｍの短いものと、１２ｃｍの長いものを２種類用意すると良いが、この長さに限定されるものではない。更に前記硬質弾性材（２）の長さが６ｃｍの短いものは図１，図３の１本ものと、図２，図４に示す２本ものを用意すると良い。尚、前記硬質弾性材（２）の幅が５ｍｍのものを使用するよりも３ｍｍのものを２本使用した方が一般に効果は大きくなる。又、その使い分けとしては、１本ものは関節をまたがず皮膚面（７）に貼る場合に使用し、２本ものは関節をまたぐ場合に使用すると良い。
【０００７】
（３）は硬質弾性材（２）の上面に固定した通気性と弾性を有する肌当材であり、該肌当材（３）の材料としては、発泡性ポリウレタン或いはポリウレタン繊維などを用いた布地と成し、その幅と長さは硬質弾性材（２）と同一或いは若干広くて長めにさせ且つその厚さとしては０．５ｍｍ〜３ｍｍ程度のものが良いが、好ましくは１ｍｍ〜２ｍｍのものが良い。この時、厚さが０．５ｍｍ以下になると蒸れ易くなると共に皮膚面（７）への押圧力が均等にならずに部分的に当る部分を生じるため硬質弾性材（２）の弾性力が有効に伝わらなくなり、３ｍｍ以上に厚くなると膨らみが目立って見た目が悪くなる。（４）は布製シート（１）の表面と肌当材（３）の上面に粘着剤を塗布して形成させた粘着層であり、この粘着剤には皮膚面（７）がかぶれにくいものを使用する。尚、前記布製シート（１）に布製の粘着テープを使用する時には、前記粘着層（４）の形成は肌当材（３）の上面に粘着剤を塗布するだけで良い。（５）は布製シート（１）の表面及び肌当材（３）の上面に粘着した剥離紙である。
【０００８】
図５は本発明の他の実施形態を示す図であり、これは前記実施形態と比べると、布製シート（１）がロール状に巻回されており、且つ布製シート（１）を長方形に分離するための切り込みやミシン目などの分離手段（６）が布製シート（１）に設けられている。又、布製シート（１）の長方形の中央部には１本或いは２本の長尺な硬質弾性材（２）と肌当材（３）が重ねられ、それが各長方形部分に配列されている。また前記長方形部分は、巻回方向へ図５に示すように配列するが、図６に示すように巻回方向と直角に配列させても良い。尚、他の各部品の材質や各硬質弾性材（２）と肌当材（３）の長さや幅及び厚さは前記実施形態と同一のものを用いれば良い。
【０００９】
次に本発明の使い方について説明する。予め疼痛部位の皮膚面（７）を指で縦横につかみ、つかむことにより、疼痛の消失や軽減がある部位を見つけておく。先ず本発明が長方形の時には剥離紙（５）を剥がす。尚、この時、本発明品がロール状に巻回されている時には、分離手段（６）によって長方形に分離すると共に剥離紙（５）を剥がす。次に予め見つけた前記部位に、先ず肌当材（３）を貼付けて位置を決めた後に、肌当材（３）が若干押圧されるように布製シート（１）を貼付ける。すると皮膚面（７）には硬質弾性材（２）の弾性により、図中に示す破線矢印のような押圧力が常時付与される。この状態で疼痛部位の筋肉が動き、図７（ａ）から（ｂ）に皮膚面（７）が動くと、硬質弾性材（２）が上方に湾曲しそれが戻る時にその両端で疼痛部位をつかむ動作のようになる。また図７（ａ）から（ｃ）に皮膚面（７）が動くと、硬質弾性材（２）が下方に湾曲してその両端には復元力が図中の破線矢印に示す押下げる力として働き、指圧状態のようになるのである。尚、本発明品の貼付ける部位によっては、硬質弾性材（２）が単に湾曲するだけでなく、全体が波状に湾曲されて複雑な動きになる。
【００１０】
このように筋肉の動きによって疼痛部位の皮膚面（７）が図７（ａ）から（ｂ）或いは図７（ａ）から（ｃ）に繰返して動く疼痛部位に於いては、指でつかんだり，押したり，揉みほぐしたりするマッサージ状態となる。この結果、本発明品を貼付けたまま運動する場合、硬質弾性材（２）は肌当材（３）と布製シート（１）とによって皮膚面（７）と固定されているので、筋肉が動く毎に硬質弾性材（２）は湾曲して弾撥運動を起こし、これを繰返すことで、マッサージ効果が生じて血行を促進し、凝りや痛みをほぐし、疲れを緩和すると共に治癒能力が高まるものになると思われる。更に硬質弾性材（２）が筋肉の補助の役割を果たすので、筋肉が増強された結果となる。尚、本発明品を用いて数人の患者に貼付けて試してみたところ、良好な結果が得られた。一方、本発明品は肌当材（３）が若干押圧されるようにして布製シート（１）を皮膚面（７）に貼付けることにより、硬質弾性材（２）で靭帯損傷，肉離れ，捻挫等の部位が固定され安定するので、実験結果から痛みの緩和する働きがあると共にその治りが早まることが確認出来た。特に硬質弾性材（２）として厚さが１ｍｍのポリカーボネートを用いると、骨折用として使用出来るものとなる。しかも本発明品は皮膚面（７）に貼っても、肌当材（３）と布製シート（１）には通気性があるので蒸れること無く、且つ弾性或いは伸縮性を有しているので、貼ったまま運動しても皮膚面（７）に密着して外れる心配が無いものとなると共に常に押圧力を付与し続けることも可能なものとなる。
【００１１】
又、本発明品の貼り方について説明すれば、図８（ａ）のように肩胛骨を橋渡しするように貼ると、背部などの疼痛の消失や軽減に効果が期待出来るものとなる。前記以外に肩，頚，腰等に本発明品を貼付けることにより、肩凝り，五十肩，首の痛み，肩痛，寝違え，腰痛，頚肩腕症候群などの疼痛の消失や軽減に効果が期待出来るものとなる。次に図８（ｂ）のように前腕部に貼ると、テニス肘が軽減され上肢の疼痛の消失や軽減に効果が期待出来るものとなる。また前腕部以外の脛部，肩部，上腕部，肘部，前腕部等の上肢に貼っても良い。更に図８（ｃ）に示すように下腿部に貼ることにより、下肢の疼痛の消失や軽減に効果が期待出来るものとなる。又、前記下肢の大腿部だけでなく下腿部などの疼痛部位に貼付けることにより、膝痛，腱鞘炎などが消失或いは軽減してその効果が顕著に表われることも確認出来た。尚、本発明品は疼痛部位に貼付けて使用するが、疼痛部位の拮抗筋には正反対の方向に貼付けると好結果が期待出来るものとなる。しかも慢性の腰痛，肩痛，膝痛，肘痛等の疼痛に於いては、バランス治療と合わせて行うと結果が顕著であることが確認されている。
【００１２】
【発明の効果】
本発明はこのように構成させたことにより、下記に記載する効果を有する。
【００１３】
請求項１のように極薄織布で且つ伸縮性を有すると共に表面に粘着層（４）を形成した布製シート（１）と、該布製シート（１）の上面に固定し、且つ弾性を有するポリカーボネートの長尺で薄板な硬質弾性材（２）と、その硬質弾性材（２）の上面に固定し、且つ通気性と弾性を有すると共に表面に粘着層（４）を形成した発泡性ポリウレタン或いはポリウレタン繊維の布地の肌当材（３）と、布製シート（１）の表面及び肌当材（３）の上面の粘着層（４）全体に粘着した剥離紙（５）とから構成させることにより、専門知識や専門技能が無くても簡単に疼痛部位へ貼付けることが出来ると共にその貼付け部位がしっかりと固定されるので、マッサージ効果が期待出来る部位に於いては、硬質弾性材（２）が湾曲する毎に弾撥運動を起こし、治癒能力を高めることが可能となる。このため、肩凝り，五十肩，首の痛み，肩痛，寝違え，腰痛，頚肩腕症候群，テニス肘，膝痛，腱鞘炎などが消失或いは軽減してその効果が顕著になることも期待出来る。しかも慢性の腰痛，肩痛，膝痛，肘痛等の疼痛に対しても効果が期待出来る。一方、本発明品は靭帯損傷，肉離れ，捻挫等に対しては、硬質弾性材（２）でそれらの部位が固定され安定するので、痛みを緩和し且つその治りを早めることも可能となる。又、硬質弾性材（２）が筋肉の補助の役目を果たすので、筋肉の増強が可能となる。特に布製シート（１）として、極薄織布が使用された布製の粘着テープを使用することにより、伸縮性が富むので貼ったまま運動しても皮膚面（７）に密着して外れる心配が無いものとなると共にかゆくなる恐れも殆ど無くなる。又、硬質弾性材（２）を皮膚面（７）に常時一層強く貼付けることも可能となる。
【００１４】
請求項２のように硬質弾性材（２）の厚さを０．３ｍｍ〜１ｍｍとすることにより、筋肉の動きに応じて湾曲し弾撥運動が起きるので、マッサージ効果が良好に生じて疼痛部位の血行を促進し、凝りや痛みをほぐし、疲れを緩和すると共に治癒能力を高めることが可能となり、しかも筋肉の増強が可能となる。又、硬質弾性材（２）の幅を１ｍｍ〜７ｍｍとすることにより、弾力性が丁度良い強さで筋肉に作用されるものとなる。更に肌当材（３）の厚さを０．５ｍｍ〜３ｍｍとすることにより、疼痛部位が蒸れずに且つ見た目も良い状態となる。
【図面の簡単な説明】
【図１】本発明の実施形態を示す斜視図である。
【図２】本発明の他の実施形態を示す斜視図である。
【図３】図１の拡大縦断面図である。
【図４】図２の拡大縦断面図である。
【図５】本発明品がロール状に巻回された状態を示す説明図である。
【図６】本発明品がロール状に巻回された別の状態を示す説明図である。
【図７】本発明の作用を示す説明図である。
【図８】本発明の使用状態を示す説明図である。
【符号の説明】
１  布製シート
２  硬質弾性材
３  肌当材
４  粘着層
５  剥離紙
【図１】
0003568018.tif 000002
【図２】
0003568018.tif 000003
【図３】
0003568018.tif 000004
【図４】
0003568018.tif 000005
【図５】
0003568018.tif 000006
【図６】
0003568018.tif 000007
【図７】
0003568018.tif 000008
【図８】
0003568018.tif 000009